(57)【特許請求の範囲】
【請求項１】
液晶表示部と、該液晶表示部に、文字、図形、及び記号のうちの少なくとも一つからなる表示対象を表示すべく、該液晶表示部のバックライトとして少なくとも一列に並んで配備された複数の光源と、前記液晶表示部のバックライト色を変更すべく、前記複数の光源を制御する制御部と、を備え、
前記制御部は、各光源の色が時間の経過と共に自動的に変化すると共に、各光源の色が異なる色となるグラデーションモードで、前記光源の色を制御するとともに、
前記グラデーションモードは、複数の色で構成される色相環の全部の色範囲で各光源の色が周期的に変化するフルカラーデモモードと、前記色相環の予め決められた一部の色範囲のみで各光源の色が周期的に変化するとともに各々の色範囲が異なる複数のグループデモモードとを含み、
前記制御部は、前記フルカラーデモモード及び前記複数のグループデモモードの各々が予め決められた順で切替可能となっていることを特徴とする表示装置。
【請求項２】
前記制御部は、前記フルカラーデモモード及び前記複数のグループデモモードの各々が前記予め決められた順とは逆の順で切替可能となっていることを特徴とする請求項１に記載の表示装置。
【請求項３】
前記制御部は、前記複数の光源を消灯した後に、前記フルカラーデモモードと前記複数のグループデモモードのいずれかとが切替可能となっていることを特徴とする請求項１又は２に記載の表示装置。
【請求項４】
前記光源は、少なくとも三つの光源が一列に並んで配備された構成であり、
前記制御部は、二つの光源の間に位置する光源の色が前記二つの光源の色の中間色となるように、前記光源の色を制御することを特徴とする請求項１から３のいずれかに記載の表示装置。
【請求項５】
前記制御部は、各光源の色が同じ制御パターン且つ同じ周期で変化するように、前記光源の色を制御することを特徴とする請求項１から４のいずれかに記載の表示装置。
【請求項６】
前記制御部は、前記光源の色に関する色情報を記憶するメモリ部から各光源の色に対応する色情報を定期的に読み込むことで、前記光源の色を制御することを特徴とする請求項１から５のいずれかに記載の表示装置。
【請求項７】
前記制御部は、前記グラデーションモードと、各光源の色が同一色となる単色モードとが切替可能となっていることを特徴とする請求項１から６のいずれかに記載の表示装置。
【請求項８】
前記制御部は、前記グラデーションモードから前記単色モードに切り替えられたとき、各光源の色がその切替直前の前記複数の光源のうちの一つの光源の色となるように、又は、前記単色モードから前記グラデーションモードに切り替えられたとき、前記複数の光源のうちの一つの光源の色がその切替直前の光源の色となるように、前記光源の色を制御することを特徴とする請求項７に記載の表示装置。
【請求項９】
前記表示装置は、前記グラデーションモードと前記単色モードとを切り替えるモード切替スイッチを更に備えることを特徴とする請求項７又は８に記載の表示装置。
【請求項１０】
前記表示装置は、前記単色モードにおいて各光源の色を変化させる、及び／又は、前記グラデーションモードにおいて前記フルカラーデモモード及び前記複数のグループデモモードの各々を切り替える色設定スイッチを更に備えることを特徴とする請求項７から９のいずれかに記載の表示装置。
【請求項１１】
前記制御部は、前記グラデーションモードと、各光源の色が時間の経過と共に自動的に変化することなく異なる色となる多色モードとが切替可能となっていることを特徴とする請求項１から１０のいずれかに記載の表示装置。
【請求項１２】
前記制御部は、前記グラデーションモードから前記多色モードに切り替えられたとき、各光源の色がその切替直前の色となるように、又は、前記多色モードから前記グラデーションモードに切り替えられたとき、各光源の色がその切替直前の光源の色から変化するように、前記光源の色を制御することを特徴とする請求項１１に記載の表示装置。
【請求項１３】
前記表示装置は、前記グラデーションモードと前記多色モードとを切り替える別途のモード切替スイッチを更に備えることを特徴とする請求項１１又は１２に記載の表示装置。
【請求項１４】
前記制御部は、電源オン時もしくはリセット時において、前記グラデーションモードで、前記光源の色を制御することを特徴とする請求項１から１３のいずれかに記載の表示装置。
【請求項１５】
請求項１から１４のいずれかに記載の表示装置を備えた時計。
【請求項１６】
前記制御部が、時刻及び／又は温湿度に関する情報に基づいて前記光源の色を制御することを特徴とする請求項１５に記載の時計。
【請求項１７】
液晶表示部と、該液晶表示部に、文字、図形、及び記号のうちの少なくとも一つからなる表示対象を表示すべく、該液晶表示部のバックライトとして少なくとも一列に並んで配備された複数の光源と、前記液晶表示部のバックライト色を変更すべく、前記複数の光源を制御する制御部と、を備え、
前記制御部は、各光源の色が時間の経過と共に自動的に変化すると共に、各光源の色が異なる色となるグラデーションモードと、各光源の色が同一色となる単色モードとが切替可能となっており、
前記制御部は、前記グラデーションモードから前記単色モードに切り替えられたとき、各光源の色がその切替直前の前記複数の光源のうちの一つの光源の色となるように、又は、前記単色モードから前記グラデーションモードに切り替えられたとき、前記複数の光源のうちの一つの光源の色がその切替直前の光源の色となるように、前記光源の色を制御することを特徴とする表示装置。
【請求項１８】
液晶表示部と、該液晶表示部に、文字、図形、及び記号のうちの少なくとも一つからなる表示対象を表示すべく、該液晶表示部のバックライトとして少なくとも一列に並んで配備された複数の光源と、前記液晶表示部のバックライト色を変更すべく、前記複数の光源を制御する制御部と、を備え、
前記制御部は、各光源の色が時間の経過と共に自動的に変化すると共に、各光源の色が異なる色となるグラデーションモードと、各光源の色が時間の経過と共に自動的に変化することなく異なる色となる多色モードとが切替可能となっており、
前記制御部は、前記グラデーションモードから前記多色モードに切り替えられたとき、各光源の色がその切替直前の色となるように、又は、前記多色モードから前記グラデーションモードに切り替えられたとき、各光源の色がその切替直前の光源の色から変化するように、前記光源の色を制御することを特徴とする表示装置。
【発明の詳細な説明】
【技術分野】
【０００１】
本発明は、表示装置及びそれを用いた時計に係り、特に、液晶表示パネルのバックライトとして使用されるフルカラー光源を個別に制御して、その液晶表示パネルに表示される時刻情報や日付情報等を含む文字等の色を所望に変化させるようにした表示装置及びそれを用いた時計に関する。
【背景技術】
【０００２】
従来から、時刻情報や日付情報、温湿度情報等を含む文字等を表示する表示装置として、バックライト付き液晶表示パネルを使用したものが知られている。
【０００３】
この種の従来技術として、たとえば特許文献１には、液晶表示パネルと、該液晶表示パネルのバックライトとして使用する三原色光源と、機器が有する各種の動作モードを設定するモード設定部と、動作モード毎の色設定内容を記憶する記憶部と、前記モード設定部にて設定された動作モードに応じて前記記憶部の色設定内容を参照して、前記三原色光源を個々に制御することで、動作モード毎にバックライトの色を変えるよう制御するRGB制御部と、を具備し、前記モード設定部は、操作部からの指示に基づきデモンストレーションモードが設定可能とされ、前記RGB制御部が、前記モード設定部にデモンストレーションモードが設定されたときは、バックライトの色を自動的に順次に変化させるよう制御するようにした、ビデオテープレコーダ等の電子機器に使用される表示装置が提案されている。
【０００４】
特許文献１に所載の表示装置では、電子機器の各動作モードに応じて液晶表示のバックライト発光色を切り替えることができ、現在の電子機器の動作状態をバックライト発光色で確認することが可能となるので、動作モードを遠隔操作で切り替える時などにおける操作ミスを低減できる。
【先行技術文献】
【特許文献】
【０００５】
【特許文献１】特開２００２−０９１４０１号公報
【発明の概要】
【発明が解決しようとする課題】
【０００６】
ところで、前記した如くの従来の表示装置では、液晶表示パネルにおけるバックライトの色が単色（すなわち、全表示領域で同じ色）で変化するよう制御されていた。そのため、当該液晶表示パネルに表示される特定の文字等に使用者の注意を引き付けることができないといった課題や、製品としての面白みが少なく顧客吸引力や購買惹起力が低いといった課題があった。
【０００７】
本発明は、前記課題に鑑みてされたものであって、その目的とするところは、液晶表示パネルに表示される特定の表示対象に使用者の注意を引き付けることができると共に、製品としての面白みがあって顧客吸引力や購買惹起力の高い表示装置及びそれを用いた時計を提供することにある。
【課題を解決するための手段】
【０００８】
上記する課題を解決するために、本発明に係る表示装置は、液晶表示部と、該液晶表示部に、文字、図形、及び記号のうちの少なくとも一つからなる表示対象を表示すべく、該液晶表示部のバックライトとして少なくとも一列に並んで配備された複数の光源と、前記液晶表示部のバックライト色を変更すべく、前記複数の光源を制御する制御部と、を備え、前記制御部は、各光源の色が時間の経過と共に自動的に変化すると共に、各光源の色が異なる色となるように、前記光源の色を制御することを特徴としている。
【０００９】
好ましい態様では、前記光源は、少なくとも三つの光源が一列に並んで配備された構成であり、前記制御部は、二つの光源の間に位置する光源の色が前記二つの光源の色の中間色となるように、前記光源の色を制御する。
【００１０】
また、前記制御部は、好ましくは、各光源の色が同じ制御パターン且つ同じ周期で変化するように、前記光源の色を制御する。
【００１１】
他の好ましい態様では、前記制御部は、前記光源の色に関する色情報を記憶するメモリ部から各光源の色に対応する色情報を定期的に読み込むことで、前記光源の色を制御する。
【００１２】
別の好ましい態様では、前記制御部は、各光源の色が時間の経過と共に自動的に変化すると共に、各光源の色が異なる色となるグラデーションモードと、各光源の色が同一色となる単色モードとが切替可能とされている。
【００１３】
更に好ましい態様では、前記制御部は、前記グラデーションモードから前記単色モードに切り替えられたとき、各光源の色がその切替直前の前記複数の光源のうちの一つの光源の色となるように、前記光源の色を制御する。
【００１４】
更なる好ましい態様では、前記制御部は、前記単色モードから前記グラデーションモードに切り替えられたとき、前記複数の光源のうちの一つの光源の色がその切替直前の光源の色となるように、前記光源の色を制御する。
【００１５】
別の好ましい態様では、前記表示装置は、前記グラデーションモードと前記単色モードとを切り替えるモード切替スイッチを更に備える。
【００１６】
別の好ましい態様では、前記表示装置は、前記単色モードにおいて各光源の色を変化させる、及び／又は、前記グラデーションモードにおいて各光源の色が変化する色範囲を変更する色設定スイッチを更に備える。
【００１７】
別の好ましい態様では、前記制御部は、各光源の色が時間の経過と共に自動的に変化すると共に、各光源の色が異なる色となるグラデーションモードと、各光源の色が時間の経過と共に自動的に変化することなく異なる色となる多色モードとが切替可能とされている。
【００１８】
更に好ましい態様では、前記制御部は、前記グラデーションモードから前記多色モードに切り替えられたとき、各光源の色がその切替直前の色となるように、前記光源の色を制御する。
【００１９】
更なる好ましい態様では、前記制御部は、前記多色モードから前記グラデーションモードに切り替えられたとき、各光源の色がその切替直前の光源の色から変化するように、前記光源の色を制御する。
【００２０】
別の好ましい態様では、前記表示装置は、前記グラデーションモードと前記多色モードとを切り替える別途のモード切替スイッチを更に備える。
【００２１】
他の好ましい態様では、前記制御部は、電源オン時もしくはリセット時において、各光源の色が時間の経過と共に自動的に変化すると共に、各光源の色が異なる色となるように、前記光源の色を制御する。
【００２２】
また、本発明に係る時計は、前記表示装置を備えた時計であり、好適には、前記制御部が、時刻及び／又は温湿度に関する情報に基づいて前記光源の色を制御する時計である。
【発明の効果】
【００２３】
本発明によれば、液晶表示部のバックライトとして並設して使用される複数の光源の色が、各光源の色が時間の経過と共に（時間に応じて）自動的に順次に変化すると共に、各光源の色が異なる色となるように制御される。そのため、当該液晶表示部に表示される特定の表示対象、言い換えれば当該液晶表示部の特定の表示領域に表示される表示対象に使用者の注意を引き付けることができる。また、たとえば、バックライト色（すなわち、表示対象の色）を、当該液晶表示部の表示領域において前記光源の並び方向に順次に流れる（移動する）ように変化させることもできるので、製品としての面白みや情緒性が増し、顧客吸引力や購買惹起力を格段に高めることができる。
【図面の簡単な説明】
【００２４】
【図１】本発明に係る表示装置を用いた時計の一実施形態を示す正面図。
【図２】図１に示す時計の回路構成を示すブロック図。
【図３】図２に示すLED制御用マイコンの内部構成を示すブロック図。
【図４】図３に示すモード切替スイッチ及び色設定スイッチによる切替処理の説明に供される図。
【図５】グラデーションモード（のフルカラーデモモード）におけるLCDの各表示ブロックのバックライト色の変化の一例を示す図。
【図６】図３に示す読込アドレス制御部によるアドレス読込制御の制御処理の説明に供される図。
【発明を実施するための形態】
【００２５】
以下、本発明に係る表示装置及びそれを用いた時計の実施形態を図面を参照しながら説明する。
【００２６】
なお、以下では、主に、本発明に係る表示装置が、時刻情報や日付情報、温湿度情報等を含む文字等をデジタル方式で表示するデジタル時計に使用される形態について説明するが、本発明は、例えば、指針によるアナログ方式で時刻表示を行うアナログ時計に組み込まれて使用される表示装置（例えば、夜間表示装置）や時計以外の各種機器に搭載される表示装置にも採用し得ることは勿論である。
【００２７】
図１は、本発明に係る表示装置を用いた時計の一実施形態を示す正面図であり、図２は、図１に示す時計の回路構成を示すブロック図である。
【００２８】
図示実施形態の時計１は、基本的に、矩形状の筐体ケース２の前面窓部に横長平板状の透過型液晶表示パネル（LCD : Liquid Crystal Display）３が配置され、そのLCD３の背後（図示例では、前記筐体ケース２の前面窓部の上辺部分の内側であって前記LCD３の上縁部分の内側）に、当該LCD３のバックライトとして使用される複数の光源４ａ〜４ｃが横方向に並んで配備されている。なお、当該時計１は、たとえば筐体ケース２の背部に設けられたステー（不図示）により、所望の場所で立てて使用できるようになっている。
【００２９】
前記したLCD３の表示項目や各表示項目の表示位置は図示例に限定されないが、本実施形態では、前記LCD３は、たとえば、時分、秒、月日、曜日、年、アラーム時刻、電波受信状態、温度、湿度の複数の表示項目をデジタル方式で表示する、時分表示部、秒表示部、月日表示部、曜日表示部、年表示部、アラーム時刻表示部、電波受信状態表示部、温度表示部、湿度表示部を有する。時分表示部は、LCD３の表示領域の左から約２／３の領域に割り当てられており、秒表示部は、時分表示部における分表示の右横下部分に小さく配置され、電波受信状態表示部が、時分表示部における分表示の右横上部分に小さく配置されている。なお、ここでは、前記時分表示部は、年表示部を兼ねている。また、LCD３の表示領域の右から約１／３の領域の上側部分に、月日表示部と曜日表示部とが並列に配置され、その下側部分に、温度表示部と湿度表示部とが並列に配置されると共に、前記月日表示部は、アラーム時刻表示部を兼ねている。
【００３０】
また、前記したバックライト用光源の個数や隣接する光源同士の間隔等も図示例に限定されないが、本実施形態では、たとえば、３個の光源４ａ〜４ｃが横方向で略等間隔に並んで配置されている。左側の光源（以下では、左光源と称することがある）４ａは、LCD３の表示領域の左から約１／３の領域（左表示ブロック）のバックライト用として使用され、中央の光源（以下では、中央光源と称することがある）４ｂは、LCD３の表示領域の中央の約１／３の領域（中央表示ブロック）のバックライト用として使用され、右側の光源（以下では、右光源と称することがある）４ｃは、LCD３の表示領域の右から約１／３の領域（右表示ブロック）のバックライト用として使用される。このようなバックライト用光源４ａ〜４ｃとしては、たとえば、LED（Light Emitting Diode）や蛍光管等を採用し得るが、以下では、主にフルカラー光源もしくは三原色光源としてのRGB LEDを使用する場合について説明する。なお、各光源４ａ〜４ｃはそれぞれ、１個のRGB LEDから構成してもよいし、複数個（２個以上）のRGB LEDから構成してもよい。
【００３１】
前記したLCD３及び光源４ａ〜４ｃの動作を制御すべく、筐体ケース２の内部（すなわち、LCD３の背後）には、図２を参照すれば理解されるように、LCD制御用のマイクロコンピュータ（以下、略してLCD制御用マイコンと称する）１３とLED制御用のマイクロコンピュータ（以下、略してLED制御用マイコンと称する）１４とが内蔵されている。
【００３２】
また、本実施形態では、当該筐体ケース２に、周囲の温度及び湿度を検知するための温度センサ１１及び湿度センサ１２、基地局やラジオ放送局から送信された標準時刻電波信号を受信するための受信アンテナ１５、家庭用電源等から各マイコン１３、１４に電力を供給するためのACアダプタ１７等が搭載されると共に、時計操作スイッチ２１、モード切替スイッチ２２、色設定スイッチ（＋側、−側）２３等といった各種スイッチが配設されている。
【００３３】
温度センサ１１及び湿度センサ１２は、接続線を介してLCD制御用マイコン１３に接続されており、当該時計１の周囲の温湿度に関する情報（温湿度情報）がLCD制御用マイコン１３に入力されるようになっている。
【００３４】
また、受信アンテナ１５は、受信IC１６及び接続線を介してLCD制御用マイコン１３に接続されており、基地局やラジオ放送局から送信された時刻コードを含む標準時刻電波信号がLCD制御用マイコン１３に適宜のタイミングで入力されるようになっている。LCD制御用マイコン１３は、入力された標準時刻電波信号に含まれる時刻コードに基づいて、当該時計１の内部時計が計時する時刻を自動的に修正できるようになっている。
【００３５】
また、ACアダプタ１７は、レギュレータ１８及び接続線を介してLCD制御用マイコン１３とLED制御用マイコン１４とに接続されており、LCD制御用マイコン１３及びLED制御用マイコン１４を駆動するための電力が確保されるようになっている。
【００３６】
時計操作スイッチ２１は、たとえば当該時計１のLCD３の表示内容を変更するためのものであり、接続線を介してLCD制御用マイコン１３に接続されている。この時計操作スイッチ２１は、たとえば、前記した標準時刻電波信号を強制的に受信させて内部時計の時刻修正を行うためのリセットスイッチ、現在時刻やアラーム時刻を設定するための修正スイッチ、アップスイッチ、ダウンスイッチ、当該時計１に関する各種モード（たとえば、標準時刻電波信号を受信可能な状態とする受信モードや、複数の表示モード、アラーム報知モード等）から所望のモードを設定するためのモード設定スイッチ、アラーム音やメロディ等の報音を止めるための鳴止めスイッチ等から構成でき、この時計操作スイッチ２１を介して受け付けられた各種情報が、接続線を介してLCD制御用マイコン１３に入力されるようになっている。
【００３７】
LCD制御用マイコン１３は、上記した温度センサ１１及び湿度センサ１２から入力された温湿度情報、受信アンテナ１５を介して入力された標準時刻電波信号、時計操作スイッチ２１を介して入力された各種情報等に基づいて、LCD３を駆動するための駆動信号（コモン信号とセグメント信号）を生成すると共に、LCD３に接続されたコモン線５及びセグメント線６を介してその駆動信号をLCD３に出力して、LCD３の基板の背面に設けられたコモン電極及びその基板の前面に設けられたセグメント電極に選択的に電圧を付与する。これにより、LCD３の液晶の分子の向きを変化させ、上記したLCD３の各表示部に、たとえば０〜９の数字や漢字表記の曜日の文字、温度や湿度を表す記号等を表示させることができる。
【００３８】
また、前記LCD制御用マイコン１３には、内部時計により計時される時刻情報（たとえば、秒情報、分情報、時情報、年月日情報、曜日情報、サマータイム情報等）や温湿度情報等の各種情報を記憶する記憶部（不図示）や、LED制御用マイコン１４と情報の授受を行うための通信部（不図示）が内蔵されており、LCD制御用マイコン１３は、必要に応じて、LED制御用マイコン１４に対し、その記憶部に記憶された各種情報を出力するようになっている。
【００３９】
なお、LCD制御用マイコン１３に入力される各種情報のうち、温湿度情報が不要である場合には、上記温度センサ１１及び湿度センサ１２を省略してもよいし、内部時計の自動的な時刻修正が不要である場合には、上記受信アンテナ１５や受信IC１６を省略してもよいことは言うまでも無い。また、LCD制御用マイコン１３及びLED制御用マイコン１４の駆動に要する電力は、乾電池等の一次電池、充電式の二次電池、太陽電池パネルを使用した太陽電池等から供給してもよく、その場合には、上記ACアダプタ１７やレギュレータ１８を省略してもよい。
【００４０】
一方、モード切替スイッチ２２及び色設定スイッチ（＋側、−側）２３は、当該時計１のLCD３の表示色（バックライト色）を変更するためのものであり、接続線を介してLED制御用マイコン１４に電気的に接続されている。このモード切替スイッチ２２は、LCD３の表示色の表示色モード（後で詳述するように、グラデーションモードと単色モード）を切り替えるためのスイッチであり、色設定スイッチ２３は、各表示色モードにおいて更にその表示色を変更するためのスイッチであり、各スイッチ２２、２３を介して受け付けられた各種情報が、接続線を介してLED制御用マイコン１４に入力されるようになっている。
【００４１】
LED制御用マイコン１４は、モード切替スイッチ２２及び色設定スイッチ（＋側、−側）２３を介して入力された各種情報等に基づいて、光源４ａ〜４ｃを駆動するための駆動信号（制御パルス）を生成すると共に、その制御パルスを各光源４ａ〜４ｃに対応して設けられた各ドライブ出力部７ａ〜７ｃで増幅して各RGB制御3線８ａ〜８ｃを介して各光源４ａ〜４ｃに出力する。これにより、たとえばモード切替スイッチ２２及び色設定スイッチ（＋側、−側）２３の操作に応じた態様で各光源４ａ〜４ｃを発光（点灯）させ、上記したLCD３の各表示部に表示された数字や文字、記号等の色を所望に変化させることができる。
【００４２】
以下、図３〜図６を参照して、本発明の特徴部分である、上記したLED制御用マイコン１４の構成及びそのLED制御用マイコン１４による光源４ａ〜４ｃの発光制御の制御内容を詳述する。
【００４３】
［LED制御用マイコン１４の構成］
図３は、図２に示すLED制御用マイコン１４の内部構成を示すブロック図である。
【００４４】
図３に示すように、前記LED制御用マイコン１４は、基本的に、メモリ部４１と、モード・色設定部４２と、読込アドレス制御部４３と、各光源４ａ〜４ｃに対応して設けられた複数（図示例では３個）のRGB制御部４４ａ〜４４ｃとから構成され、各部が、接続線を介して通信可能に接続されている。
【００４５】
メモリ部４１は、RAM（Random access memory）やROM（Read Only Memory）等で構成され、LED制御用マイコン１４の処理に関する各種情報（実行されるプログラム、初期データ、種々のパラメータ、処理に伴って生成されるデータ等）が記憶されるが、このメモリ部４１には、主に、各光源４ａ〜４ｃの色に関する色情報がアドレス付きで記憶されている。本実施形態では、バックライト色（すなわち、各光源４ａ〜４ｃの色）が、後述するグラデーションモードのフルカラーデモモードにおいて、予め決められた時間内に、赤→朱→橙→山吹→黄→黄緑→緑→青緑→青→青紫→紫→赤紫→赤といった具合に、色相環を一周するように徐々に（連続的に）変化すると共に、ビビッド系の色相環を一周した後に連続的にパステル系の色相環を一周するように周期的に変化する。そのため、当該メモリ部４１には、ビビッド系の色相環とパステル系の色相環とを構成する複数の色（たとえば、数十〜数百種類の色）に関する色情報（色の三原色となるR、G、Bの比率を含む情報）が、色相環を構成する順序に従ったアドレスが付与された状態で記憶されている（図６も併せて参照）。
【００４６】
モード・色設定部４２は、モード切替スイッチ２２が操作されたときに、そのモード切替スイッチ２２の操作信号を受けてLCD３の表示色モードに関する指示信号を生成して読込アドレス制御部４３に出力する。また、色設定スイッチ（＋側、−側）２３が操作されたときには、その色設定スイッチ（＋側、−側）２３の操作信号を受けて各表示色モードにおける色設定に関する指示信号を生成して読込アドレス制御部４３に出力する。
【００４７】
なお、本実施形態では、モード切替スイッチ２２により切替（選択）可能な表示色モードとして、グラデーションモード（各光源の色が時間の経過と共に自動的に変化すると共に、各光源の色が異なる色となるモード）と、単色モード（各光源の色が同一色で固定されるモード）とが設定されている（詳細は後述）。また、グラデーションモードにおいて、色設定スイッチ２３が操作されると、フルカラーデモモード（ビビッド系とパステル系の全部の色範囲でバックライト色が周期的に変化するモード）とグループデモモード（予め決められた一部の色範囲のみでバックライト色が周期的に変化するモード）とが切り替えられるようになっている。より詳細には、グループデモモードには、赤系の色範囲のみでバックライト色が変化するグループデモモード「赤」、緑系の色範囲のグループデモモード「緑」、青系の色範囲のグループデモモード「青」、橙系の色範囲のグループデモモード「橙」、パステル系の色範囲のグループデモモード「パステル」が用意されており、グラデーションモードにおいて、色設定スイッチ２３のうちの＋側のスイッチを操作する毎に、フルカラーデモモード→グループデモモード「赤」→グループデモモード「緑」→グループデモモード「青」→グループデモモード「橙」→グループデモモード「パステル」→フルカラーデモモードの順で切り替わり、色設定スイッチ２３のうちの−側のスイッチを操作すると、その逆の順で切り替わる。また、単色モードにおいて、色設定スイッチ２３が操作されると、バックライト色が上記したアドレスの順序に従って変更されるようになっている。より詳細には、色設定スイッチ２３のうちの＋側のスイッチを操作すると、バックライト色が上記したアドレスの昇順で変更され、色設定スイッチ２３のうちの−側のスイッチを操作すると、その逆の降順で変更される。また、後で詳述するように、モード切替スイッチ２２により単色モードからグラデーションモードに切り替えれたときには、そのグラデーションモードのうちのフルカラーデモモードが選択されるようになっている（図４参照）。
【００４８】
読込アドレス制御部４３は、上記フルカラーデモモードとグループデモモードとを含むグラデーションモードと単色モードとが切替可能となっており、通常（たとえば、電源オン時）は、前記メモリ部４１と定期的に（予め決められた時間毎に）通信して当該メモリ部４１から所定のアドレスが付与された色情報を読み込んでいるが、前記モード・色設定部４２から指示信号が入力されると、その指示信号に応じた制御内容でその色情報からR、G、Bの値を含むRGB信号を生成して各RGB制御部４４ａ〜４４ｃに振り分けて出力する。
【００４９】
各RGB制御部４４ａ〜４４ｃは、前記読込アドレス制御部４３から入力されたRGB信号に含まれるR、G、Bの値をパルス幅に変換して制御パルスを生成し（PWM（Pulse Wide Modulation）制御）、その制御パルスを各ドライブ出力部７ａ〜７ｃ及び各RGB制御3線８ａ〜８ｃを介して各光源４ａ〜４ｃに出力する。
【００５０】
［LED制御用マイコン１４の制御内容］
次に、LED制御用マイコン１４による光源４ａ〜４ｃの発光制御の制御内容を、使用者による当該時計１の使用状況に合わせてより具体的に詳述する。
【００５１】
＜電源オン時もしくはリセット時（グラデーションモード）＞
まず、使用者が当該時計１の電源をオンしたりリセットすると、前記読込アドレス制御部４３が動作を開始もしくは再開すると共に、この読込アドレス制御部４３は、表示色モードのうちのグラデーションモードのフルカラーデモモードで動作する。
【００５２】
このグラデーションモードのフルカラーデモモードでは、前記読込アドレス制御部４３は、ビビッド系とパステル系の全部の色範囲を使用して、前記メモリ部４１から、あるアドレスが付与された色情報（以下では、中央の色情報として色情報「0」と称することがある）を、その前後のアドレスを有する色情報（以下では、前の色情報として色情報「-1」、後の色情報として色情報「+1」と称することがある）と共に定期的に且つ色情報に付与されたアドレスの順序に従って連続的に読み出し、その3種類の色情報に基づきRGB信号を生成し、色情報「0」に基づき生成したRGB信号を中央光源４ｂに対応するRGB制御部４４ｂに、色情報「-1」に基づき生成したRGB信号を左光源４ａに対応するRGB制御部４４ａに、色情報「+1」に基づき生成したRGB信号を右光源４ｃに対応するRGB制御部４４ｃに、それぞれ連続的に出力する。そして、各RGB制御部４４ａ〜４４ｃは、前記読込アドレス制御部４３から入力された各RGB信号から制御パルスを生成し、その制御パルスに基づいて各光源４ａ〜４ｃの動作（すなわち、発光状態）が制御される。
【００５３】
これにより、LCD３の表示領域の各表示ブロック（左表示ブロック、中央表示ブロック、右表示ブロック）のバックライト色が、同じ制御パターン且つ同じ周期で自動的に順次に変化すると共に、ある瞬間では隣り合う表示ブロックのバックライト色が上記したアドレスが一つずつずれた表示色となるように変化する。そのため、当該時計１の使用者には、LCD３のバックライト色（すなわち、表示対象の色）が、当該LCD３の表示領域の左側（左表示ブロック）から右側（右表示ブロック）に順次に滑らかに流れる（移動する）ように見える（図５参照）。
【００５４】
なお、LCD３の背後に配備された光源４ａ〜４ｃの間には、隔壁等が設けられていないので、LCD３の表示領域の各表示ブロック（左表示ブロック、中央表示ブロック、右表示ブロック）の境界付近におけるバックライト色は、隣り合う光源の色が重なり合ってその中間色となるように見える。
【００５５】
この状況下で、使用者が色設定スイッチ（＋側、−側）２３を操作すると、その操作信号がモード・色設定部４２に送られる。モード・色設定部４２は、その色設定スイッチ（＋側、−側）２３の操作信号を受けてグラデーションモードにおける色設定に関する指示信号、具体的には、フルカラーデモモードからグループデモモード（色設定スイッチ２３のうちの＋側のスイッチが操作されたときはグループデモモード「赤」、色設定スイッチ２３のうちの−側のスイッチが操作されたときはグループデモモード「パステル」）に変更する指示信号を生成して読込アドレス制御部４３に出力する。
【００５６】
読込アドレス制御部４３は、前記モード・色設定部４２から前記指示信号を受信すると、一旦、各光源４ａ〜４ｃを消灯するRGB信号を生成して各RGB制御部４４ａ〜４４ｃに出力し、LCD３の表示領域を暗転させた後、前記指示信号により指定された色範囲（グループデモモード「赤」では赤系の色範囲、グループデモモード「パステル」ではパステル系の色範囲）のみを使用して、前記したフルカラーデモモードと同様な方法でメモリ部４１から3種類の色情報（色情報「0」、色情報「-1」、色情報「+1」）を定期的に且つ連続的に読み出し、その3種類の色情報に基づきRGB信号を生成して各RGB制御部４４ａ〜４４ｃに連続的に出力する。そして、各RGB制御部４４ａ〜４４ｃは、前記読込アドレス制御部４３から入力された各RGB信号から制御パルスを生成し、その制御パルスに基づいて各光源４ａ〜４ｃの動作（すなわち、発光状態）が制御される。
【００５７】
また、使用者が色設定スイッチ（＋側、−側）２３をさらに操作すると、図４及び図６に示されるように、各光源４ａ〜４ｃの発光制御に使用される色範囲が順次に変更され、各光源４ａ〜４ｃの動作（すなわち、発光状態）がその色範囲内で制御されることとなる。
【００５８】
なお、図４及び図６に示すように、グラデーションモードにおけるグループデモモード「赤」、グループデモモード「緑」、グループデモモード「青」、グループデモモード「橙」では、LCD３のバックライト色（すなわち、各光源４ａ〜４ｃの色）が連続的に変化するように、前記読込アドレス制御部４３は、使用する色範囲を往復するようなアドレスの順序で、前記メモリ部４１から色情報を読み出すようになっている。
【００５９】
＜グラデーションモードから単色モードへの切り替え＞
上記したグラデーションモードにて、使用者がモード切替スイッチ２２を操作すると、その操作信号がモード・色設定部４２に送られる。モード・色設定部４２は、そのモード切替スイッチ２２の操作信号を受けてLCD３の表示色モードをグラデーションモードから単色モードに切り替える指示信号を生成して読込アドレス制御部４３に出力する。
【００６０】
読込アドレス制御部４３は、上記したように切替前のグラデーションモード（のフルカラーデモモード及びグループデモモード）において常時3種類の色情報（色情報「0」、色情報「-1」、色情報「+1」）を読み出しているが、前記モード・色設定部４２から前記指示信号を受信すると、単色モードでの動作を開始し、メモリ部４１からの色情報の読込を停止し、その受信時における3種類の色情報のうちの中央の色情報（色情報「0」）のみを使用し、その色情報に基づきRGB信号を生成して各RGB制御部４４ａ〜４４ｃに振り分けて出力する。そして、各RGB制御部４４ａ〜４４ｃは、前記読込アドレス制御部４３から入力されたRGB信号から制御パルスを生成し、その制御パルスに基づいて各光源４ａ〜４ｃの動作（すなわち、発光状態）が制御される。
【００６１】
これにより、LCD３の表示領域の各表示ブロック（左表示ブロック、中央表示ブロック、右表示ブロック）のバックライト色が単一色、具体的には、LCD３の全表示領域でモード切替スイッチ２２が操作された時点での中央表示ブロックの色となる。
【００６２】
この状況下で、使用者が色設定スイッチ（＋側、−側）２３を操作すると、その操作信号がモード・色設定部４２に送られる。モード・色設定部４２は、その色設定スイッチ（＋側、−側）２３の操作信号を受けて単色モードにおける色設定に関する指示信号、具体的には、読込アドレス制御部４３で使用する色情報を変更（色設定スイッチ２３のうちの＋側のスイッチが操作されたときはその時点の色情報より後の順番のアドレスを有する色情報に変更、色設定スイッチ２３のうちの−側のスイッチが操作されたときはその時点の色情報より前の順番のアドレスを有する色情報に変更）する指示信号を生成して読込アドレス制御部４３に出力する。
【００６３】
読込アドレス制御部４３は、前記モード・色設定部４２から前記指示信号を受信すると、前記指示信号により指定された色情報を色情報「0」としてメモリ部４１から読み出し、その色情報に基づきRGB信号を生成して各RGB制御部４４ａ〜４４ｃに連続的に出力する。そして、各RGB制御部４４ａ〜４４ｃは、前記読込アドレス制御部４３から入力された各RGB信号から制御パルスを生成し、その制御パルスに基づいて各光源４ａ〜４ｃの動作（すなわち、発光状態）が制御される。
【００６４】
＜単色モードからグラデーションモードへの切り替え＞
また、上記した単色モードにて、使用者がモード切替スイッチ２２を操作すると、その操作信号がモード・色設定部４２に送られる。モード・色設定部４２は、そのモード切替スイッチ２２の操作信号を受けてLCD３の表示色モードを単色モードからグラデーションモード（のフルカラーデモモード）に切り替える指示信号を生成して読込アドレス制御部４３に出力する。
【００６５】
読込アドレス制御部４３は、上記したように切替前の単色モードにおいて常時1種類の色情報（色情報「0」）のみを使用しているが、前記モード・色設定部４２から前記指示信号を受信すると、グラデーションモードでの動作を再開して、メモリ部４１からの色情報の読込を再開し、既述したように、その色情報「0」と共に、その前後のアドレスを有する色情報（色情報「-1」、色情報「+1」）を色情報に付与されたアドレスの順序に従って連続的に読み出し、その3種類の色情報に基づきRGB信号を生成し、色情報「0」に基づき生成したRGB信号をRGB制御部４４ｂに、色情報「-1」に基づき生成したRGB信号をRGB制御部４４ａに、色情報「+1」に基づき生成したRGB信号をRGB制御部４４ｃに、それぞれ連続的に出力する。そして、各RGB制御部４４ａ〜４４ｃは、前記読込アドレス制御部４３から入力された各RGB信号から制御パルスを生成し、その制御パルスに基づいて各光源４ａ〜４ｃの動作（すなわち、発光状態）が制御される。
【００６６】
このように、本実施形態の時計１では、グラデーションモードにおいて、LCD３のバックライトとして並設して使用される複数の光源４ａ〜４ｃの色が、各光源４ａ〜４ｃの色が時間の経過と共に（時間に応じて）自動的に順次に変化すると共に、各光源４ａ〜４ｃの色が異なる色となるように制御される。そのため、当該LCD３に表示される特定の表示対象、言い換えれば当該LCD３の特定の表示領域に表示される表示対象に使用者の注意を引き付けることができる。また、バックライト色（すなわち、表示対象の色）を、当該LCD３の表示領域において前記光源４ａ〜４ｃの並び方向に順次に流れる（移動する）ように変化させることもできるので、製品としての面白みや情緒性が増し、顧客吸引力や購買惹起力を格段に高めることができる。
【００６７】
また、本実施形態の時計１では、モード切替スイッチ２２により読込アドレス制御部４３がグラデーションモードから単色モードに切替可能となっており、その単色モードでは、各光源４ａ〜４ｃの色が同一色で固定されるように複数の光源４ａ〜４ｃの色が制御される。そのため、当該LCD３に表示される表示対象が同じ色で表示され、その表示対象が見易くなる。また、その切替時において、読込アドレス制御部４３とメモリ部４１との通信を停止し、各光源４ａ〜４ｃの色がその切替直前の複数の光源４ａ〜４ｃのうちの一つの光源の色、具体的には、中央光源４ｂの色となるように、複数の光源４ａ〜４ｃの色が制御されるので、製品としての使い易さが増すという効果もある。
【００６８】
また、モード切替スイッチ２２により読込アドレス制御部４３が単色モードからグラデーションモードに切替可能となっており、その切替時において、複数の光源４ａ〜４ｃのうちの一つの光源の色、具体的には、中央光源４ｂの色がその切替直前の光源４ａ〜４ｃの色となるように、複数の光源４ａ〜４ｃの色が制御されるので、その点からも製品としての使い易さが増すという効果がある。
【００６９】
さらに、単色モードにおいて各光源４ａ〜４ｃの色を変化させると共に、グラデーションモードにおいて各光源４ａ〜４ｃの色が変化する色範囲を変更する色設定スイッチ２３が備えられていることにより、製品としての面白みや情緒性、表示対象の見易さが更に増し、顧客吸引力や購買惹起力をより高めることができる。
【００７０】
［LED制御用マイコン１４の変形形態］
上記した実施形態では、各光源の色が時間の経過と共に自動的に順次に変化すると共に、各光源の色が異なる色となるグラデーションモードと、各光源の色が同一色で固定される単色モードとが設定されているが、その単色モードに代えて或いはその単色モードに加えて、各光源の色が時間の経過と共に自動的に変化することなく異なる色で固定される多色モードを設定してもよい。
【００７１】
この場合、使用者がたとえば別途に設けられたモード切替スイッチを操作し、その操作信号がモード・色設定部４２に送られると、モード・色設定部４２は、そのモード切替スイッチの操作信号を受けてLCD３の表示色モードをグラデーションモードから多色モードに切り替える指示信号を生成して読込アドレス制御部４３に出力する。
【００７２】
読込アドレス制御部４３は、上記したように切替前のグラデーションモードにおいて常時3種類の色情報（色情報「0」、色情報「-1」、色情報「+1」）を読み出しているが、前記モード・色設定部４２から前記指示信号を受信すると、多色モードでの動作を開始し、メモリ部４１からの色情報の読込を停止し、その受信時における3種類の色情報（色情報「0」、色情報「-1」、色情報「+1」）を使用し、その3種類の色情報に基づきRGB信号を生成し、色情報「0」に基づき生成したRGB信号をRGB制御部４４ｂに、色情報「-1」に基づき生成したRGB信号をRGB制御部４４ａに、色情報「+1」に基づき生成したRGB信号をRGB制御部４４ｃに、それぞれ出力する。そして、各RGB制御部４４ａ〜４４ｃは、前記読込アドレス制御部４３から入力された各RGB信号から制御パルスを生成し、その制御パルスに基づいて各光源４ａ〜４ｃの動作（すなわち、発光状態）が制御される。
【００７３】
これにより、LCD３の表示領域の各表示ブロック（左表示ブロック、中央表示ブロック、右表示ブロック）のバックライト色が異なる色、具体的には、前記した別途のモード切替スイッチが操作された時点での色となる。
【００７４】
また、上記した多色モードにて、使用者が前記した別途のモード切替スイッチを操作し、その操作信号がモード・色設定部４２に送られると、モード・色設定部４２は、そのモード切替スイッチの操作信号を受けてLCD３の表示色モードを多色モードからグラデーションモード（のフルカラーデモモード）に切り替える指示信号を生成して読込アドレス制御部４３に出力する。
【００７５】
読込アドレス制御部４３は、上記したように切替前の多色モードにおいて常時3種類の色情報（色情報「0」、色情報「-1」、色情報「+1」）を使用しているが、前記モード・色設定部４２から前記指示信号を受信すると、グラデーションモードでの動作を再開して、メモリ部４１からの色情報の読込を再開し、既述したように、その3種類の色情報（色情報「0」、色情報「-1」、色情報「+1」）から開始して色情報に付与されたアドレスの順序に従って連続的に3種類の色情報を読み出し、読み出した3種類の色情報に基づきRGB信号を生成し、色情報「0」に基づき生成したRGB信号をRGB制御部４４ｂに、色情報「-1」に基づき生成したRGB信号をRGB制御部４４ａに、色情報「+1」に基づき生成したRGB信号をRGB制御部４４ｃに、それぞれ連続的に出力する。そして、各RGB制御部４４ａ〜４４ｃは、前記読込アドレス制御部４３から入力された各RGB信号から制御パルスを生成し、その制御パルスに基づいて各光源４ａ〜４ｃの動作（すなわち、発光状態）が制御される。
【００７６】
このような多色モードを設定した場合でも、上記した実施形態と同様の効果を奏することができる。なお、この多色モードを設定した場合でも、上記したモード・色設定スイッチと同様のスイッチを用意し、そのスイッチを操作することで、多色モードにおいて各光源の色を変化させ、グラデーションモードにおいて各光源の色が変化する色範囲を変更することもできる。
【００７７】
また、上記したLED制御用マイコン１４（の読込アドレス制御部４３）は、LCD制御用マイコン１３から入力される時刻情報や温湿度情報等の各種情報に基づいて、グラデーションモードと単色モード（又は多色モード）とを切り替えたり、グラデーションモードにおいてフルカラーデモモードや各グループデモモードを切り替えたり、単色モード（又は多色モード）において使用する色情報を変更したりすることにより、周囲の環境（たとえば、時分、月日、曜日、季節、温度、湿度等）に応じたバックライト色となるように、各光源４ａ〜４ｃの色を制御してもよい。
【００７８】
なお、上記した実施形態では、バックライト色（すなわち、各光源４ａ〜４ｃの色）が、グラデーションモードのフルカラーデモモードにおいて、ビビッド系の色相環を一周した後に連続的にパステル系の色相環を一周するように変化すると共に、単色モードにおいても、同様の色範囲で変更される形態について説明したが、各表示色モードでバックライト色が変化もしくは変更される色範囲は、任意に変更できることは言うまでも無い。
【００７９】
また、上記した実施形態では、グラデーションモードにおいて、読込アドレス制御部４３が連続したアドレスが付与された色情報をメモリ部４１から読み出しているが、必ずしも連続したアドレスが付与された色情報を読み出す必要はなく、たとえば使用者の要望もしくは嗜好に応じて、メモリ部４１から読み出す色情報を選択してもよい。
【００８０】
また、上記した実施形態では、電源オン時もしくはリセット時に、読込アドレス制御部４３が、グラデーションモードのフルカラーデモモードで動作するようにしているが、電源オン時もしくはリセット時における読込アドレス制御部４３の動作モードも任意に変更できることは当然である。また、各表示モードもモード切替時におけるLED制御用マイコン１４の制御内容も、上記した実施形態に限定されないことは当然である。
【００８１】
また、上記した実施形態では、LCD３の動作を制御するLCD制御用マイコン１３と光源４ａ〜４ｃの動作を個別に制御するLED制御用マイコン１４とが別体に構成されているが、前記LCD制御用マイコン１３とLED制御用マイコン１４とを一つのマイコンから構成（言い換えれば、一体に構成）してもよい。
【００８２】
また、上記した実施形態では、基本的にセグメント方式によって時刻情報や温湿度情報等の各種情報をLCD３の表示領域に表示する形態としているが、たとえば、TFT回路などを用いたドットマトリックス方式などの他の表示方式によって表示してもよいことは勿論である。
【００８３】
また、上記した実施形態では、バックライト用の複数の光源が横方向に一列に並んで配置されているが、たとえば、各光源を縦方向に並べて配置してもよいし、各光源を横方向および縦方向に並べて配置してもよい。また、各光源を横方向に二列以上または縦方向に二列以上に並べて配置して使用してもよい。
【符号の説明】
【００８４】
１    時計
２    筐体ケース
３    LCD（液晶表示パネル）
４ａ〜４ｃ  光源
５    コモン線
６    セグメント線
７ａ〜７ｃ  ドライブ出力部
８ａ〜８ｃ  RGB制御3線
１１  温度センサ
１２  湿度センサ
１３  LCD制御用マイコン
１４  LED制御用マイコン（制御部）
１５  受信アンテナ
１６  受信IC
１７  ACアダプタ
１８  レギュレータ
２１  時計操作スイッチ
２２  モード切替スイッチ
２３  色設定スイッチ
４１  メモリ部
４２  モード・色設定部
４３  読込アドレス制御部
４４ａ〜４４ｃ  RGB制御部
【図１】
0006403632.tif 000002
【図２】
0006403632.tif 000003
【図３】
0006403632.tif 000004
【図４】
0006403632.tif 000005
【図５】
0006403632.tif 000006
【図６】
0006403632.tif 000007